(57)【特許請求の範囲】
【請求項１】
筒状体を形成するカートン本体に、合掌部で背シールした袋を収納してなるカートンにおいて、前記袋の合掌部と前記カートン本体とを部分的に接着し、前記袋を前記カートンから引き出すと同時に、前記合掌部の前記カートンに接着された部分を起点として前記袋が開封されることを特徴とする袋同時開封カートン。
【請求項２】
前記袋が、ガゼットタイプの袋であることを特徴とする請求項１に記載の袋同時開封カートン。
【請求項３】
前記合掌部が、外片と内片とからなり、該外片が前記カートンと部分的に接着していることを特徴とする請求項１に記載の袋同時開封カートン。
【請求項４】
前記外片の先端部にノッチを設けたことを特徴とする請求項３に記載の袋同時開封カートン。
【請求項５】
前記袋の材料が、少なくとも延伸フィルムを含む積層体により構成され、前記合掌部の端部を非接着部とし、前記背シールの部分を弱シールとしたことを特徴とする請求項１に記載の袋同時開封カートン。
【請求項６】
前記カートン本体に複数個の前記袋を収納し、各袋の前記合掌部を前記カートン本体と部分的に接着したことを特徴とする請求項１に記載の袋同時開封カートン。
【請求項７】
前記カートン本体に仕切りを設けたことを特徴とする請求項６に記載の袋同時開封カートン。
【発明の詳細な説明】
【０００１】
【発明の属する技術分野】
本発明は、１個あるいは多数個の袋を収納し、かつ、同時開封機能を有するカートンに関するものである。
【０００２】
【従来の技術】
従来、壊れやすい内容物あるいは密封性を必要とする内容物の保護を目的とする包装形態として、袋とカートンとを組合せた形態が、一部に使われている。袋に内容物を充填し、袋に易開封性の機能を持たせて密封し、一般的なサック箱をはじめとしたカートンに袋を収納している。内容物を取り出す時には、カートンを開封し、またはジッパー等により部分的にカートンを破壊して、収納されている袋を取り出し、その袋を開封している。
【０００３】
【発明が解決しようとする課題】
しかしながら、従来の包装形態では、カートンを開封し、または、ジッパー等により部分的にカートンを破壊して、収納されている袋を取り出し、袋を開封し、内容物を取り出すという煩雑さがあった。
本発明の目的は、袋をカートンから引き出すと同時に、袋が開封される包装、いわば、袋同時開封カートンであって、カートンから袋を引出しやすく、かつ、袋が、脱落しないカートンを提供することにある。
【０００４】
【課題を解決するための手段】
上記のような課題を解決すべく検討した結果、本発明は、筒状体を形成するカートン本体に、合掌部で背シールした袋を収納してなるカートンにおいて、前記袋の合掌部と前記カートン本体とを部分的に接着し、前記袋を前記カートンから引き出すと同時に、前記合掌部の前記カートンに接着された部分を起点として前記袋が開封されることを特徴とする袋同時開封カートンである。そして、前記袋がガゼットタイプの袋であることを特徴とする。
また、前記合掌部が外片と内片とからなり、該外片が前記カートンと部分的に接着していることを特徴とし、前記外片の先端部にノッチを設けたことを特徴とする。前記袋の材料が、少なくとも延伸フィルムを含む積層体により構成され、前記合掌部の端部を非接着部とし、前記背シールの部分を弱シールとしたことを特徴とする。
さらに、前記カートン本体に複数個の前記袋を収納し、各袋の前記合掌部を前記カートン本体と部分的に接着したことを特徴とし、前記カートン本体の底面に仕切りを設けたことを特徴とする。
以上のような構成により、袋をカートンから引き出すと同時に、袋が開封される包装、いわば、袋同時開封カートンであって、カートンから袋を引出しやすく、かつ、袋が、脱落しないカートンを得ることできる。
【０００５】
【発明の実施の形態】
図１は、本発明による袋同時開封カートンの１個の袋を収納する形態の実施例を示す斜視図であり、図２は、本発明による袋同時開封カートンの複数個の袋を収納する形態の一実施例を示す斜視図である。
また、図３は、袋同時開封カートンの複数個の袋を収納する形態の一実施例のカートン本体のブランクの展開図であり、図４は、袋を示す斜視図である。
さらに、図５は、本発明による袋同時開封カートンの複数個の袋を収納する形態の一実施例のカートン本体と袋を接着した状態を示す概略断面図である。
【０００６】
本発明における袋同時開封カートンはカートン本体１と、合掌部３で背シールされた袋２とから構成されている。
【０００７】
カートン本体１は、形状として、少なくとも、袋２の引出部に筒状体を形成していることが必要であるが、１個の袋２を収納する形態の袋同時開封カートンＡでは、図１に示すように、引き出し部がオープンになっているスリーブタイプのカートン形状でもよい。一般的には、図２に示すように、複数個の袋を収納する形態の袋同時開封カートンＢで、袋２の引出しの方向の前後に相当する部分にフラップ（天面２２、カバー面２３）を連接する。該フラツプ（天面２２、カバー面２３）により、本発明の袋同時開封カートンの構造として、袋２の引出し方向の前後あるいはいずれかを閉塞し、埃、異物等の進入を防止し、袋２のカートン本体１からの脱落防止にもなる。引き出し方向の面では、フラップ（天面２２、カバー面２３）を閉じ、先端の差し込みベロ２３ａを挿入口１２ａに差し込む形状にすることもできる。
【０００８】
基材となる紙としては、耐引き裂き性があり、ある程度の剛度を有する板紙であればよいが、一般のカートンに用いられる板紙のように印刷適性があることが好ましい。紙単体ではなく、紙の表面あるいは裏面にプラスチックフィルム、金属箔等を積層してもよい。
印刷はカートン表面に、オフセット印刷、グラビア印刷等の通常の印刷技術により行い、つづいて、打ち抜き工程において、ブランクを作成する。
【０００９】
図３は、本発明の複数個の袋を収納する形態の袋同時開封カートンＢのカートン本体１を示すブランクの展開図である。ブランク１０は、それぞれの折れ線を介して側面１１と、前面１２と、側面１３と、後面１４と、糊代片１５とを順に連設している。また、側面１１と、前面１２と、側面１３と、後面１４の下方には、それぞれの折れ線を介して、底横面１６と、底上面１７と、底横面１８と、底下面１９とを連設し、側面１１と、側面１３と、後面１４の上方には、それぞれの折れ線を介して、天横面２０と、天横面２１と、天面２２とを連設している。また、天面２２の上方には、カバー面２３を連設している。さらに、カバー面２３の先端に差し込みベロ２３ａを設け、一方、前面１２には、差し込みベロ２３ａを差し込む挿入口１２ａを設ける。
【００１０】
袋２の形状としては、カートン本体１の中に効率的に収納することができる図４−ｂに示すようなガゼットピロー型の袋が好適である。図４−ａに示すように、合掌部３は外片４と内片５とからなり、合掌部３を背シールした後、図４−ｂに示すように、合掌部３の位置が中央ではなく内片５の側に折り曲げた際に袋本体の上面から突出しない程度に端によせて設定される。そして、図４−ｃに示すように、外片４の端部４ａを外側へ反転させる形状が好ましい。この外片４の端部４ａを外側へ反転させることにより、開封が容易に行える。また、外片４の端部４ａを外側へ反転させる場合、外片４の端部４ａ全体を反転させる形状と、図４−ｄに示すように、外片４の端部４ａにノッチ６を形成し、そのノッチ６の間の端部４ａを反転させる形状とがあり、後者の方がより好ましい。さらに、折り曲げた内片５と袋本体とを部分的に接着、あるいは、内容物を充填した後の両側のシールにおいて、折り曲げた合掌部３と袋本体とをシール部８において接着することが好ましい。
【００１１】
本発明の袋同時開封カートンＢの袋２では、このガゼットピロー型の袋を開封するために、合掌部３の外片４に一対のノッチ６を設けて引き裂く方法をとり、カートン本体１から引き出すと同時に開封されるという機能を持たせるための形状となっている。つまり、合掌部３の外片４がカートン本体１に接着された部分を起点として袋２の開封が可能となっている。ノッチ６は、外片４の端から背シールに向かって深い方がよく、外片４を外側に反転させる場合は、少なくとも、外片４を反転させる折り目より深くする必要がある。
【００１２】
そして、本発明の袋同時開封カートンＢの袋２の合掌部３の端部に一対のノッチ６を設けるとともに、少なくとも背シール部７の接着は弱シールとする。本発明において望ましい弱シールは、基材フィルムの裏面全面に、易開封性樹脂を積層して構成する方法もあるが、一般的に易開封性樹脂による弱シールでは、開封のための剥離の抵抗が強すぎる。将来的に、易開封性樹脂の改良、例えばヒートシール阻害成分のブレンドなどによる易開封化が実現できれば本発明の弱シールとして使用できる。本発明における背シール部７を弱シールとするための、より好ましい方法は、溶液タイプまたはエマルジョンタイプの接着剤を基材フィルムの内面の全面または、背シールされる位置を想定してシール時の位置ずれを考慮した部位に塗布することである。
【００１３】
接着剤の部分塗布の方法してはグラビア版、ゴムまたは樹脂による凸版等を利用できる。ただし、全面塗布の場合には、前記の方法の他に、ロールコート、エアナイフコートなどにより塗布してもよい。塗布するタイプのの接着剤成分は、エチレン−酢酸ビニル共重合体、アクリル樹脂、ニトロセルロース、塩素化ポリプロピレンであり、これらの樹脂のエマルジョンタイプまたは溶液タイプのものを用いる。
【００１４】
また、弱シールとしてコールドシール剤を利用することも可能である。コールドシールとは、塗布面は粘着性を帯びていないが、塗布面同士を強く加圧することによって接着させることのできるもので、この際加熱を必要としない。このコールドシール剤の主成分は合成ゴム、天然ゴムやアクリル系樹脂が用いられる。シール剤の部分コート法の場合には、非接着部には、接着剤を塗布する必要がないので、経済的である。
【００１５】
本発明の弱シールとは、内容物の保存のための防湿性や保香性などに支障のない強度を保ちながら易開封性を有するものであり、弱シールとしているので重量のある内容物等への応用の際には、注意を要する。
【００１６】
また、ノッチ６から開封する時にフィルムが引き裂き方向に確実に引き裂かれるように、材料構成中に横一軸延伸フィルムを含むよう設定する。本発明において、横一軸延伸フィルムをその包材構成中に存在させて横方向の易裂き性を付与することが望ましいが、横一軸延伸フィルムのほかに、他の特性を示すフィルム、例えば、ポリプロピレン、ポリエステル、ポリアミド等の２軸延伸フィルムを積層しても、袋の横方向の引き裂き性は、損なわれることはなく、さらに、横一軸延伸フィルムを含め、これらのフィルムに、防湿性、ガスバリヤ性の改良のために、樹脂等のコーティングあるいはアルミニウムや珪素酸化物の蒸着層を設けることは本発明の実施に何らの支障を及ぼすことはない。
【００１７】
つぎに、カートン本体１と、袋の合掌部３とを部分的に接着するが、本発明においては、図５−ａの断面図に示すように、袋２の合掌部３を袋２の内片５の側に折り、外片４の端部とカートン本体１の前面１２の裏面とを接着させる。あるいは、図５−ｂの断面図に示すように、袋２の合掌部３を袋２の内片５の側に折り、外片４の端部４ａを反転させ、この反転した端部４ａとカートン本体１の前面１２の裏面とを接着させる。その接着位置は、カートン本体１から袋２を引き出す際に、手前の部分とする。そして、接着の強度、接着のパターンまたは面積は、袋２を引き出すときに、支障がなければよい。即ち、カートン本体１から袋２を引出す際に、袋２の合掌部３が易開封できればよい。
したがって、カートン本体１の前面１２と袋２の合掌部３の外片４との接着力が、袋２と袋２の合掌部３の背シール部７の接着力より大きいことが必要である。
【００１８】
複数個の袋２を収納する形の袋同時開封カートンＢでは、カートン本体１の中に、並列に並んだ状態で複数個の袋２が収納されている。整列された状態で収納するために、カートン本体１の前面１２または後面１４に仕切り９を設けることもできる。この仕切り９は、図２に示すように、波状の底紙を底面に敷くか固定する方法、あるいは袋２と袋２の間に凸条の部材を貼付する方法等がある。仕切り９を設けることにより、カートン本体１から袋２が引き出しやすくなる。
【００１９】
【実施例】
カートン本体１の用紙として、コートボール２７０ｇ／ｍ2 を用い、まず、表面に、所定の印刷を施し、つぎに、図３に示すようなブランク１０を打ち抜き加工で作成した。
【００２０】
実施例の袋に用いた基材フィルムは  ポリプロピレンの横一軸延伸フィルム「ＹＴ２２」２５μｍ（東レ株式会社製  商品名）とアルミニウム蒸着ＰＥＴ１２μｍのフィルムとをドライラミネート法により積層した基材フィルムに、印刷機を用いて表面に絵柄を、前記絵柄に見当をあわせて所定の裏面位置に接着剤層を設けた。合掌部の外片の端部には２個のＩノッチ６を設けた。
【００２１】
つぎに、包装工程となるが、内容物として、ボール状チョコレートを袋２に充填し、袋の合掌部３の外片４は、内片５に比べて長くし、袋２の合掌部３を、背シール７し、袋本体の両側をシールし、内容物を密封した。同時に合掌部３を内片側に折り曲げ、内片５と袋本体とを部分的にホットメルト接着剤で接着した。つづいて、合掌部３の外片４の未シール部分の２個のノッチ６の間の部分を外側の反転させ、カートン本体１とを部分的にホットメルト接着剤で接着した。
【００２２】
カートン本体１と袋の合掌部３の外片４の反転した部分接着は、図６に示すように、カートン本体１を組み立てる前のブランク１０と袋２とを同一平面上において、部分的に接着し、つぎに、カートン本体１のブランク１０を折り込み、袋２を包み込むことにより本発明の袋同時開封カートンＢを作成した。
【００２３】
前記包装体のカートン本体１から１個ずつ袋２を引き出したところ、袋２から、袋２の合掌部３の外片４がカートン本体１に接着したままで、背シール部７がスムースに剥離し、袋２が開封された。
【００２４】
【発明の効果】
本発明により、袋をカートンから引き出すと同時に、袋が開封される包装、いわば、袋同時開封カートンであって、カートンから袋を引出しやすく、かつ、袋が、脱落しないカートンを得ることできる。
【図面の簡単な説明】
【図１】本発明による袋同時開封カートンの１個の袋を収納する形態の実施例を示す斜視図。
【図２】本発明による複数個の袋を収納する形態の袋同時開封カートンの一実施例を示す斜視図。
【図３】本発明による複数個の袋を収納する形態の袋同時開封カートンの一実施例のカートン本体のブランクの展開図である。
【図４】本発明による複数個の袋を収納する形態の袋同時開封カートンの一実施例の袋を示す斜視図である。
【図５】本発明による袋同時開封カートンの一実施例のカートン本体と袋を接着した状態を示す概略断面図である。
【図６】本発明による袋同時開封カートンの一実施例のカートン本体と袋を接着する一方法を説明する図である。
【符号の説明】
１  カートン本体
２  袋
３  合掌部
４  外片
４ａ  端部
５  内片
６  ノッチ
７  背シール部
８  シール部
９  仕切り
１０  ブランク（複数個の袋を収納する形態の一実施例）
１１  側面
１２  前面
１２ａ挿入口
１３  側面
１４  後面
１５  糊代片
１６  底横面
１７  底上面
１８  底横面
１９  底下面
２０  横下面
２１  天横面
２２  天面
２３  カバー面
２３ａ差し込みベロ
【図１】
0004043578.tif 000002
【図２】
0004043578.tif 000003
【図３】
0004043578.tif 000004
【図４】
0004043578.tif 000005
【図５】
0004043578.tif 000006
【図６】
0004043578.tif 000007